(57)【要約】【課題】ディジタルＴＶ放送信号受信装置に接続されている多指向性アンテナにおいて、一度方向調整済みのスマートアンテナで受信中に、画質の劣化や、妨害波を受けた場合、アンテナの方向調整を自動ではなく、ユーザ自身が簡単に、正確に手動で調整でき、無駄な方向調整時間を省くと共に、常に迅速に最適な受信状態を得る。【解決手段】予めオートスキャン及び全域スキャンで各チャンネルの全方向の受信信号強度レベル、及び最適受信方向と最適受信信号強度レベルを記憶し、最適受信信号強度レベルを基準に各方向の受信強度を正規化して振幅表示し、円周上に均等に設けたアンテナの各受信方向６４の受信信号強度を棒グラフ６５で示したアンテナ方向レベルパターン６２をＴＶディスプレイ上に重畳して表示すると共に、受信チャンネルの映像を同時に、ミニ画面６８に表示できるようにし、決定カーソル６６でアンテナの受信方向６４の選択を決定する。【選択図】図６
2006041750.tif 000002
【特許請求の範囲】
【請求項１】
予め規格で定められている複数の受信方向を有する多指向性アンテナが接続されて、前記受信方向のうちいずれか１つの受信方向のみを有効にして、テレビジョン放送信号を受信するディジタルテレビジョン放送信号受信装置において、
前記多指向性アンテナに対して、テレビジョン放送信号を受信するための受信方向を指示するための制御信号を出力する制御信号出力手段と、
前記多指向性アンテナが接続され、テレビジョン放送信号の受信を行う放送信号受信手段と、
前記テレビジョン放送信号受信手段により受信されたテレビジョン放送信号に対して所定の信号処理を行う放送信号処理手段と、
前記放送信号処理手段により処理された信号をモニタ装置に出力する信号出力手段と、
前記放送信号処理手段により処理された信号を一時的に記憶する記憶手段と、
前記記憶手段に記憶された信号を用いて、受信可能な各チャンネルについての最適な受信方向を決定する受信方向決定手段と、
前記記憶手段に記憶された信号を用いて、受信強度レベルを表示するレベル表示手段と、
ディジタルテレビジョン放送信号受信装置の各部を制御する全体制御手段とを備え、
前記制御信号出力手段は、前記多指向性アンテナへ制御信号を送り、この多指向性アンテナの受信方向が、順に前記受信方向を向くように、所定の間隔で制御信号を出力し、
前記放送信号処理手段は、受信方向の順に全チャンネルのテレビジョン放送信号の受信信号強度の測定を行い、得られた全チャンネル毎の、全受信方向における受信信号強度と、前記受信信号強度の最大となる最適受信方向及びこの最適受信方向での最大受信信号強度とを、前記記憶手段に記憶し、
前記レベル表示手段は、前記記憶手段に記憶されている全受信方向における各受信信号強度のレベルの大きさを、前記最大受信信号強度で正規化し、円周上に並べた受信方向表示番号に対応して、前記正規化されたレベルの大きさを放射状の振幅で円形状にグラフ表示するアンテナ方向レベルパターンを設け、このアンテナ方向レベルパターンをＴＶ画面に重畳して表示すると共に、リモコンによるＴＶ画面上での受信方向表示番号の選択操作により、アンテナの方向変更を可能とし、
前記信号出力手段は、前記方向レベルパターンが受信中のＴＶ映像画面に重畳された場合、前記受信中のＴＶ映像画面を縮小した小画面として、前記方向レベルパターンと同時表示できるようにすることを特徴とするディジタルテレビジョン受信装置。
【請求項２】
予め規格で定められている複数の受信方向を有する多指向性アンテナが接続されて、前記受信方向のうちいずれか１つの受信方向のみを有効にして、放送局から各チャンネルで配信されるテレビジョン放送信号を受信するディジタルテレビジョン放送信号受信装置において、
前記多指向性アンテナに対して、テレビジョン放送信号を受信するための受信方向を指示するための制御信号を出力する制御信号出力手段と、
前記多指向性アンテナが接続され、テレビジョン放送信号の受信を行う放送信号受信手段と、
前記テレビジョン放送信号受信手段により受信されたテレビジョン放送信号に対して所定の信号処理を行う放送信号処理手段と、
前記放送信号処理手段により処理された信号をモニタ装置に出力する信号出力手段と、
前記放送信号処理手段により処理された信号を一時的に記憶する記憶手段と、
前記記憶手段に記憶された信号を用いて、受信可能な各チャンネルについての最適な受信方向を決定する受信方向決定手段と、
前記記憶手段に記憶された信号を用いて、受信強度レベルを表示するレベル表示手段と、
ディジタルテレビジョン放送信号受信装置の各部を制御する全体制御手段とを備え、
前記制御信号出力手段は、前記多指向性アンテナへ制御信号を送り、この多指向性アンテナの受信方向が、順に前記受信方向を向くように、所定の間隔で制御信号を出力し、
前記放送信号処理手段は、受信方向の順に全チャンネルのテレビジョン放送信号の受信信号強度の測定を行い、得られた全チャンネル毎の、全受信方向における受信信号強度と、前記受信信号強度の最大となる最適受信方向及びこの最適受信方向での最大受信信号強度とを、前記記憶手段に記憶し、
前記レベル表示手段は、前記記憶手段に記憶されている全受信方向における各受信信号強度のレベルの大きさを、可視できる形にパターン化し、ＴＶ画面に重畳して表示することを特徴とするディジタルテレビジョン受信装置。
【請求項３】
前記レベル表示手段は、前記記憶手段に記憶されている全受信方向における各受信信号強度のレベルの大きさを、前記最大受信信号強度で正規化し、円周上に並べた受信方向表示番号に対応して、前記正規化されたレベルの大きさを放射状の振幅で円形状にグラフ表示するアンテナ方向レベルパターンを設け、このアンテナ方向レベルパターンをＴＶ画面に重畳して表示すると共に、リモコンによるＴＶ画面上での受信方向表示番号の選択操作により、アンテナの方向変更を可能とする請求項２に記載のディジタルテレビジョン放送信号受信装置。
【請求項４】
前記信号出力手段は、前記方向レベルパターンが受信中のＴＶ映像画面に重畳された場合、前記受信中のＴＶ映像画面を縮小した小画面として、前記方向レベルパターンと同時表示できるようにすることを特徴とする請求項２又は請求項３に記載のディジタルテレビジョン放送信号受信装置。
【請求項５】
前記レベル表示手段は、受像表示可能な一定レベルの受信基準レベルを設定し、このレベルを各チャンネルの前記最大受信信号強度で正規化し、この正規化した値で前記アンテナ方向レベルパターン内における前記円形状のグラフに、同心円状の受信基準レベルラインを表示することを特徴とする請求項２、請求項３又は請求項４のいずれかに記載のディジタルテレビジョン放送信号受信装置。
【発明の詳細な説明】
【技術分野】
【０００１】
本発明は、例えばＡＴＳＣなどのディジタルテレビジョン放送信号を受信するためのディジタルテレビジョン放送信号受信装置に関する。
【背景技術】
【０００２】
ＡＴＳＣディジタルテレビジョン放送（以下、ＴＶ放送と略称する）が行われている北米大陸では、平野部に大都市が点在し、各都市の近郊で放送されているＴＶ放送信号を受信するユーザ側から見ると、様々な方向からＴＶ放送信号が送信されてくるため、自分の見たい番組が放送されている放送局の方向にアンテナの向きを調整する必要がある。そこで、スマートアンテナなど多指向性アンテナが実用化されつつある。
【０００３】
ＥＩＡ−９０９規格によれば、スマートアンテナは円を１６分割した各方向に受信方向を有すると規定されている。そして、実際に市販されている多指向性アンテナの中には、アンテナをモータで回転させて受信方向を切り換えるタイプや、複数のアンテナを有し、電子スイッチのオン／オフにより有効なアンテナの方向を切り換えるタイプ（アンテナ自体は回転しない）など、様々な構造のものが存在する。
【０００４】
このような多指向性アンテナに接続されるテレビジョン放送受信装置は、多指向性アンテナの受信方向を自動調整できるように構成されてきている一方、室内アンテナなどでは、受信状態が変化し易いため、ユーザが現状の受信調整状態を知れるようにすることも、サービス上必要となってきている。
【０００５】
なお、アンテナの受信状態をオンスクリーンで表示するものとしては、チューナを複数個設け、一つのチューナで受信中に、他のチューナで他の局をサーチし、必要に応じて記憶した各局の受信状況を一覧表で表示する方法（特許文献１参照）、また、２種類以上の送信信号の受信信号強度の表示において、受信選局状態をどちらかに切り換えることなしに、同時に表示する方法（特許文献２参照）、２つの衛星からの受信信号レベルを測定して、受信レベルを画面に横バー表示する方法（特許文献３参照）等が知られている。
【特許文献１】特開平２００２−３２０１６５号公報
【特許文献２】特開平２００３−１０１８９７号公報
【特許文献３】特開平２００３−２３４６６３号公報
【発明の開示】
【発明が解決しようとする課題】
【０００６】
上述のように、米国のＡＴＳＣディジタルテレビジョン放送では、放送電波が全方向から来る可能性があり、そのため、ＴＶ放送受信においては、多指向性のアンテナ（スマートアンテナ）が必要とされ、一方、ＴＶ放送信号を受信するディジタルテレビジョン放送信号受信装置（以下、ディジタルＴＶ放送信号受信装置と略称する）としては、ＥＩＡ−９０９規格に準拠して１６方向の全てに対して多指向性アンテナ受信方向を調整できるように設定されている。
【０００７】
通常、放送局側のアンテナ、すなわち送信塔の位置は変化しないので、各チャンネル毎に１６方向についてスキャンを行い、最も受信状態の良い方向をそのチャンネルの受信方向に設定すればよい。また、ディジタルＴＶ放送信号受信装置には、ユーザが選択したチャンネルのＴＶ放送信号を最も状態良く受信できるアンテナの方向を選択するオートスキャン機能が備え付けられているものも存在する。
【０００８】
一方、スマートアンテナの初期方向設定では、全てのチャンネルの、全ての方向について、最適受信方向と最大信号受信レベルを予め時間をかけて測定し、ＴＶ受信機内蔵のメモリに記憶させて、チャンネル選択のアクセス時に、この記憶データに基づいて、直ぐに希望のチャンネルにアンテナの方向を合わせられるようにしている。しかしながら、受信中に少し画質が悪くなった場合に、ユーザがもう少しよい画質の方向を求め、アンテナ方向をユーザ自身が変更したい場合に、簡単にはする方法がなく、再度、時間の掛かるオートスキャンをしなければならなかった。また、受信中に妨害電波が入ったり、ゴーストが入ったりして受信レベルが低くないにも拘わらず、画質が悪い場合、あるいは、室内アンテナを使用時の場合などにおいて、屋外の車が通るたびに画質が乱れるなど、本来、妨害が無ければ、アンテナ方向としては正常であるのも拘わらず、画質の劣化が発生する場合がある。この様な場合、再スキャンでアンテナの調整をしても、状況は改善されない場合が多く、再スキャンには時間が掛かり手間である。
【０００９】
このように受信状態が悪くなった場合や、妨害電波、ゴーストがある場合に、同じ受信チャンネルで、もし、同程度の受信レベルをもつアンテナ方向が他に存在する場合には、その方向にアンテナを変えることで、場合によっては、画質が良くできたり、ゴーストや妨害波を避けれたり、少なくとも軽減することができる可能性がある。
【００１０】
このような場合、ユーザ自身がアンテナの方向をその場で変更できれば、都合が良いが、手動で方向を変える場合、何らかの形でユーザが、回転の程度を認識しながら、アンテナ方向を変更でき、元の方向に戻す場合等を含め、回転の動きが正確に分かる方法が望まれる。
【００１１】
本発明は、上記の問題を解決するためになされたものであり、受信中にＴＶ受像が劣化したり、画面に妨害や、ゴーストが表れた場合に、ユーザが手動でアンテナ方向を可変でき、オンスクリーン上で、視覚的に簡単にリモコンで受信方向を選択できると共に、受信の度に、その方向における映像を確認しながら行え、より高画質で妨害の少ないチャンネルを選択することを可能とするディジタルＴＶ信号受信装置を提供することを目的とする。
【課題を解決するための手段】
【００１２】
上記目的を達成するために請求項１の発明は、予め規格で定められている複数の受信方向を有する多指向性アンテナが接続されて、前記受信方向のうちいずれか１つの受信方向のみを有効にして、テレビジョン放送信号を受信するディジタルテレビジョン放送信号受信装置において、前記多指向性アンテナに対して、テレビジョン放送信号を受信するための受信方向を指示するための制御信号を出力する制御信号出力手段と、前記多指向性アンテナが接続され、テレビジョン放送信号の受信を行う放送信号受信手段と、前記テレビジョン放送信号受信手段により受信されたテレビジョン放送信号に対して所定の信号処理を行う放送信号処理手段と、前記放送信号処理手段により処理された信号をモニタ装置に出力する信号出力手段と、前記放送信号処理手段により処理された信号を一時的に記憶する記憶手段と、前記記憶手段に記憶された信号を用いて、受信可能な各チャンネルについての最適な受信方向を決定する受信方向決定手段と、前記記憶手段に記憶された信号を用いて、受信強度レベルを表示するレベル表示手段と、ディジタルテレビジョン放送信号受信装置の各部を制御する全体制御手段とを備え、前記制御信号出力手段は、前記多指向性アンテナへ制御信号を送り、この多指向性アンテナの受信方向が、順に前記受信方向を向くように、所定の間隔で制御信号を出力し、前記放送信号処理手段は、受信方向の順に全チャンネルのテレビジョン放送信号の受信信号強度の測定を行い、得られた全チャンネル毎の、全受信方向における受信信号強度と、前記受信信号強度の最大となる最適受信方向及びこの最適受信方向での最大受信信号強度とを、前記記憶手段に記憶し、前記レベル表示手段は、前記記憶手段に記憶されている全受信方向における各受信信号強度のレベルの大きさを、前記最大受信信号強度で正規化し、円周上に並べた受信方向表示番号に対応して、前記正規化されたレベルの大きさを放射状の振幅で円形状にグラフ表示するアンテナ方向レベルパターンを設け、このアンテナ方向レベルパターンをＴＶ画面に重畳して表示すると共に、リモコンによるＴＶ画面上での受信方向表示番号の選択操作により、アンテナの方向変更を可能とし、前記信号出力手段は、前記方向レベルパターンが受信中のＴＶ映像画面に重畳された場合、前記受信中のＴＶ映像画面を縮小した小画面として、前記方向レベルパターンと同時表示できるようにするものである。
【００１３】
請求項２の発明は、予め規格で定められている複数の受信方向を有する多指向性アンテナが接続されて、前記受信方向のうちいずれか１つの受信方向のみを有効にして、放送局から各チャンネルで配信されるテレビジョン放送信号を受信するディジタルテレビジョン放送信号受信装置において、前記多指向性アンテナに対して、テレビジョン放送信号を受信するための受信方向を指示するための制御信号を出力する制御信号出力手段と、前記多指向性アンテナが接続され、テレビジョン放送信号の受信を行う放送信号受信手段と、前記テレビジョン放送信号受信手段により受信されたテレビジョン放送信号に対して所定の信号処理を行う放送信号処理手段と、前記放送信号処理手段により処理された信号をモニタ装置に出力する信号出力手段と、前記放送信号処理手段により処理された信号を一時的に記憶する記憶手段と、前記記憶手段に記憶された信号を用いて、受信可能な各チャンネルについての最適な受信方向を決定する受信方向決定手段と、前記記憶手段に記憶された信号を用いて、受信強度レベルを表示するレベル表示手段と、ディジタルテレビジョン放送信号受信装置の各部を制御する全体制御手段とを備え、前記制御信号出力手段は、前記多指向性アンテナへ制御信号を送り、この多指向性アンテナの受信方向が、順に前記受信方向を向くように、所定の間隔で制御信号を出力し、前記放送信号処理手段は、受信方向の順に全チャンネルのテレビジョン放送信号の受信信号強度の測定を行い、得られた全チャンネル毎の、全受信方向における受信信号強度と、前記受信信号強度の最大となる最適受信方向及びこの最適受信方向での最大受信信号強度とを、前記記憶手段に記憶し、前記レベル表示手段は、前記記憶手段に記憶されている全受信方向における各受信信号強度のレベルの大きさを、可視できる形にパターン化し、ＴＶ画面に重畳して表示したものである。
【００１４】
請求項３の発明は、前記レベル表示手段は、前記記憶手段に記憶されている全受信方向における各受信信号強度のレベルの大きさを、前記最大受信信号強度で正規化し、円周上に並べた受信方向表示番号に対応して、前記正規化されたレベルの大きさを放射状の振幅で円形状にグラフ表示するアンテナ方向レベルパターンを設け、このアンテナ方向レベルパターンをＴＶ画面に重畳して表示すると共に、リモコンによるＴＶ画面上での受信方向表示番号の選択操作により、アンテナの方向変更を可能とするものである。
【００１５】
請求項４の発明は、前記信号出力手段は、前記方向レベルパターンが受信中のＴＶ映像画面に重畳された場合、前記受信中のＴＶ映像画面を縮小した小画面として、前記方向レベルパターンと同時表示できるようにするものである。
【００１６】
請求項５の発明は、前記レベル表示手段は、受像表示可能な一定レベルの受信基準レベルを設定し、このレベルを各チャンネルの前記最大受信信号強度で正規化し、この正規化した値で前記アンテナ方向レベルパターン内における前記円形状のグラフに、同心円状の受信基準レベルラインを表示したものである。
【発明の効果】
【００１７】
請求項１の発明によれば、手動でアンテナ方向を自由に可変できることで、ユーザ自身で受信方向を選ぶことができる一方、オンスクリーン上に表示したパターンで、視覚的に受信レベルの高い方向を確認しながら簡単にリモコン操作で受信方向を選択でき、同時に、変更した受信方向での受信映像の画質を確認しながら、より高画質な方向をアンテナのスキャンをすることなしに、容易にリアルタイムで選択することができる。従って、受信中にＳ／Ｎ（信号対雑音比）が悪くなったり、ＴＶ受像画面に妨害波や、ゴーストが表れた場合にも、ユーザは、直ぐに、Ｓ／Ｎ劣化や妨害の少ないアンテナ方向を選ぶことができ、より高画質なＴＶ映像を楽しむことができる。また、表示パターンも、実際のスマートアンテナの受信方向に対応する形で、円周上に方向表示されていることで、非常に分かり易く、リモコンで円形のパターン画面を見ながら簡単に操作できるので、子供やお年寄りにもやさしいヒューマンインターフェースとなっている。
【００１８】
請求項２の発明によれば、ユーザが現状の受信調整状態を視覚的に簡単に知ることができ、アンテナ方向の調整状態が直ぐ確認できて、方向変更が必要な場合に、早期にアンテナの再調整の対応が取れる。
【００１９】
請求項３の発明によれば、手動でアンテナ方向を自由に可変できることで、ユーザ自身で受信方向を選ぶことができる一方、オンスクリーン上に表示したパターンで、視覚的に受信レベルの高い方向を確認しながら簡単にリモコン操作で受信方向を選択でき、同時に、変更した受信方向での受信映像の画質を確認しながら、より高画質な方向をアンテナのスキャンをすることなしに、容易にリアルタイムで選択することができる。従って、受信中にＳ／Ｎ（信号対雑音比）が悪くなったり、ＴＶ受像画面に妨害波や、ゴーストが表れた場合にも、ユーザは、直ぐに、Ｓ／Ｎ劣化や妨害の少ないアンテナ方向を選ぶことができ、より高画質なＴＶ映像を楽しむことができる。また、表示パターンも、実際のスマートアンテナの受信方向に対応する形で、円周上に方向表示されていることで、非常に分かり易く、リモコンで円形のパターン画面を見ながら簡単に操作できるので、子供やお年寄りにもやさしいヒューマンインターフェースとなっている。
【００２０】
請求項４の発明によれば、アンテナの方向を選ぶ際に、実際の受信映像の全体を見ながら画質状態を同時に確認できるので、より正確に高画質のＴＶ映像が受信できるアンテナ方向を選ぶことができる。
【００２１】
請求項５の発明によれば、正常な受信ができるために必要な受信基準レベル位置が同心円状に表示されるので、この受信基準レベル位置を目安に、アンテナの受信レベルを比較していくことにより、受信基準レベルを超える受信方向を選べば、確実に、正常な受信画像を得ることができる。
【発明を実施するための最良の形態】
【００２２】
以下、本発明の一実施の形態に係るディジタルＴＶ放送信号受信装置について図面を参照して説明する。図１は、ユーザが家庭においてＴＶ放送信号を受信する状況を示す。ディジタル（地上波）ＴＶ放送が行われている地域では、受信したディジタルＴＶ放送信号の強度が一定の閾値以上であれば、補正などにより一定の画質の画像が得られる。そのため、図１に示すように、Ａ地域、Ｂ地域、Ｃ地域など複数箇所の点在する放送局から送信されてくるＴＶ放送信号を受信して、ＴＶ番組を視聴することができる。このような状況に対応して、複数の受信方向を有するスマートアンテナと呼ばれる多指向性アンテナが実用化されている。
【００２３】
ディジタルＴＶ放送信号受信装置は、アナログＴＶ放送信号も受信することができ、ディジタルＴＶ放送信号と同様に、多指向性アンテナの受信方向の数を確認して、無駄のない最適な受信方向制御を行うことができる。従って、特にディジタルＴＶ放送信号とアナログＴＶ放送信号を区別する必要がないときは、単にＴＶ放送信号とする。
【００２４】
一方、ＥＩＡ−９０９規格に準拠したディジタルＴＶ放送信号受信装置は、接続される多指向性アンテナの種類や受信方向の数などにかかわらず、１６の受信方向の全てに対して切り換えが可能でなければならない。
【００２５】
本実施の形態に係るディジタル放送信号受信装置は、多指向性アンテナが接続されたときに、規格で定められている１６の受信方向のそれぞれについてＴＶ放送信号の受信を行い、受信状態を測定する。そして、各受信チャンネルの信号受信強度の最大の方向を記憶しておき、チャンネル選択時にすぐに多指向性アンテナを最適方向に向ける。
【００２６】
図２は、本実施の形態に係るディジタルＴＶ放送信号受信装置１の構成を示す。ディジタルＴＶ放送信号受信装置１は多指向性アンテナ２に接続され、ＴＶ放送信号を受信するチューナ（放送信号受信手段）１１、チューナ１１で受信したディジタルＴＶ放送信号に対して所定の信号処理を行い、復号化するＡＴＳＣフロントエンド（ディジタル信号処理手段）１２、チューナ１１で受信したアナログＴＶ放送信号を復号化するＮＴＳＣデコーダ（アナログ信号処理手段）１３、ＭＰＥＧ圧縮されていたＴＶ放送信号をデコードするＭＰＥＧデコーダ（信号出力手段）１４、デコードされたＴＶ放送信号に所定の表示画像を重畳させるオンスクリーンディスプレイ部（ＯＳＤ）１５、チューナ１１により受信したＴＶ放送信号の受信状態を検知し、多指向性アンテナ２の制御ユニット２１を制御する（受信方向決定手段、及び制御信号出力手段として機能する）とともに、ＡＴＳＣフロントエンド１２やＮＴＳＣデコーダ１３などを制御する（全体制御手段として機能する）制御部（ＣＰＵ）１６、デコードされたＴＶ放送信号を一時的に記憶し、またデコードされたＴＶ放送信号に重畳させる表示画像を記憶するメモリ（記憶手段）１７、及びディジタルＴＶ放送信号受信装置１をリモートコントロールするリモコン１８、リモコン１８と制御信号を送受信するリモコン受信部１９などで構成されている。ＭＰＥＧデコーダ１４によりデコードされたＴＶ放送信号は、オンスクリーンディスプレイ部１５を介してモニタ装置３に出力され、表示される。なお、ディジタルＴＶ放送では、ユーザ側のディジタルＴＶ放送信号受信装置１から放送局に向けてデータの送信が可能であるが、本発明とは直接関係がないので、その説明は省略する。
【００２７】
多指向性アンテナ２の制御ユニット２１は、制御部１６からの制御信号に応じて起動し、多指向性アンテナの検出後、多指向性アンテナ２の複数ある受信方向のうち、指示された方向のみを有効にする。多指向性アンテナ２がモータでアンテナを回転させて受信方向を切り換えるタイプである場合、制御ユニット２１はモータの回転を制御して、アンテナを指示された方向に向ける。一方、多指向性アンテナ２が電子スイッチのオン／オフにより有効なアンテナの方向を切り換えるタイプである場合、指示された方向のアンテナに接続された電子スイッチのみをオンし、その他の電子スイッチをオフする。
【００２８】
図３は、多指向性アンテナ２（スマートアンテナ）がＥＩＡ−９０９規格で定められた１６方向の受信方向を有する場合おけるＴＶ放送信号のアンテナの方向の違いによる受信状態例を示したものである。同図において、符号Ｄ０１〜Ｄ１６は、それぞれＥＩＡ−９０９規格で定められた１６の受信方向を示す。ＴＶ放送の各チャンネルの電波到来方向は、例として、太字の矢印の中にＣＨ−２（以下、ＣＨはチャンネルの略称とする）のように示している。
【００２９】
次に、ディジタルＴＶ放送信号受信装置１の制御部１６による多指向性アンテナ２の受信方向制御のオートスキャン処理について、図４に示すフローチャートを参照しつつ説明する。まず、図４において、制御部１６は、チューナ１１に多指向性アンテナ２に接続されたことを検出すると、オートスキャンが開始し、所定のチャンネルが設定されると（Ｓ１）、制御部１６は、カウンタにｎ＝１６をセットし（Ｓ２）、第ｎ番目の方向を指定する制御信号を出力する（Ｓ３）。制御信号を多指向性アンテナ２の制御ユニット２１に出力し、多指向性アンテナ２の受信方向切り換えに要する時間を経過した後、チューナ１１により所定のチャンネルのＴＶ放送信号を受信する（Ｓ４）。ＴＶ放送信号を受信すると、制御部１６は、受信したＴＶ放送信号の受信信号強度を測定し、測定結果をメモリ１７に保存する（Ｓ５）。そして、カウンタを１つ減算し（Ｓ６）、１６の受信方向の全てについてディジタルＴＶ放送信号の信号強度を測定したか否かを判断する（Ｓ７）。１６の全ての受信方向についてディジタルＴＶ放送信号の信号強度を測定していない場合は（Ｓ７でＮＯ）、ステップＳ３に戻って次の受信方向についてディジタルＴＶ放送信号の受信信号強度を測定する。
【００３０】
１６の受信方向の全てについてＴＶ放送信号の受信信号強度の測定が完了すると（Ｓ７でＹＥＳ）、制御部１６は、メモリ１７に保存されている測定データを読み出し、全受信信号強度比較（Ｓ８）、受信チャンネルでの受信信号強度最大の最適受信方向と、この方向の最適受信信号強度を検出し、それぞれ記憶する（Ｓ９）。次に、最適受信方向の最大受信信号強度のレベルをＥｍａｘとし、Ｅｍａｘでもって他の方向の受信信号強度のレベル（Ｅｎとする）を正規化し（Ｓ９）、この正規化値を振幅として、図３に示す実際のアンテナ方向に対応する形で、円周上に均等に１６の方向を配置した方向Ｄ０１〜Ｄ１６に向け、円の中心から放射線状に並べる円形配列の棒グラフを作成し、アンテナ方向レベルパターンとしてメモリ１７に記憶する。また、棒グラフの表し方として、棒をレベルＥｎのパターン上の高さの位置まで四角形を積み重ねて構成し、、積み上げた四角形の高さ位置により、四角形の色を順次色分けすることにより、一目でレベル状態が分かるように見易くしている。さらに、映像再生が可能な受信強度の所定値を設定して、同様に正規化して記憶して終了する。この所定値の正規化されたレベルを同心円上に表示することで、受信強度のレベルが、所定値に対してどの程度のレベルであるかが分かるので、受信可能かどうかが直ぐに判断できる。なお、最適受信強度レベルが、所定値に達しない場合は、正規化された所定値は１を超えて円周外にオーバーするので表示されない。逆に、所定値の正規化されたレベルが表示されていない場合は、受信レベルが低すぎると判断される。
【００３１】
次に、図５のフローチャートを参照して、放送局から配信される全てのチャンネルについて最適受信方向等を決定する、全域スキャン処理について説明する。制御部１６はユーザにより全域スキャンモードが選択されると、放送局から配信されれるチャンネル数に応じて、カウンタの初期値ｍ、及び最適受信方向を決定するチャンネル数ｍｍａｘを設定する（Ｓ２１）。そして、第ｍ番目のチャンネルについて上記オートスキャン処理を実行することにより、このチャンネルについて最適受信方向及び正規化処理による円形配列の棒グラフを作成し、記憶する（Ｓ２２）。そして、カウンタを１つ加算し（Ｓ２３）、全てのチャンネルについてオートスキャン処理が実行されたか否かを判断する（Ｓ２４）。全てのチャンネルについてオートスキャン処理が実行されていない場合（Ｓ２４でＮＯ）、ステップＳ２２に戻って次のチャンネルについてオートスキャン処理が実行され、全てのチャンネルについて、最適受信方向及び正規化処理による円形配列の棒グラフを作成され、アンテナ方向レベルパターンとして記憶されると（Ｓ２４でＹＥＳ）、処理を終了する。
【００３２】
図６は、上記全域スキャン処理により作成されたアンテナ方向レベルパターンを示す図であり、受信信号強度の円形配列の棒グラフをディスプレイ上に表示したものである。今、仮にチャンネル１０（ＣＨ−１０で表す）６７を受信している場合、ユーザがＭＥＮＵ６１からアンテナ方向レベルパターン６２を呼び出すと、制御部１６は、メモリ１７に保存されているＣＨ−１０のアンテナ方向レベルパターン６２を、ＣＨ−１０の受信画面のＯＳＤ１５に重畳し、ディスプレイ３に表示する。同図において、円周上６３に等間隔で配置した方向番号Ｄ０１〜Ｄ１６のアンテナの各受信方向６４が設定されており、ユーザが信号レベルの棒グラフ６５の大きさを見ながら、方向を選択し、方向番号Ｄ０１〜Ｄ１６の各受信方向６４にリモコン１８の左右キーで決定カーソル６６を合わせ（同図６ではＤ０１の場合を示す）、決定ボタンを押すことで、方向を決定することができる。これにより、制御部１６からの方向制御信号が、制御ユニット２１を制御することによりアンテナの方向が変更される。
【００３３】
また、同図６では、画像を縮小して、ミニ画面６８で受信映像の全体または一部を表示することができるように構成しており、これにより、受信映像の画質を確認しながら方向を選択することができる。
【００３４】
以上述べたように、手動でアンテナ方向を自由に可変できることで、ユーザ自身が受信方向を選ぶことができる一方、オンスクリーン上の方向パターンで、視覚的に受信レベルの高い方向を確認しながら簡単にリモコン操作で受信方向を選択でき、同時に、変更した受信方向での受信映像の画質を確認しながら、より高画質な方向をリアルタイムで選択することができる。従って、受信中のＴＶ受像画面に劣化が生じたり、妨害波、ゴーストが表れた場合にも、ユーザは、直ぐに、画質の良い、妨害の少ないアンテナ方向を選ぶことができ、より最適なＴＶ映像を楽しむことが出きる。また、アンテナ方向表示をアンテナの１回転に対応する形で、円形の方向パターンとして表示しているので、実際の方向と対応していて分かり易く、この画面を見ながらリモコンで簡単に操作できるので、子供やお年寄りにもやさしいヒューマンインターフェースとなっている。
【００３５】
また、正常な受信ができるために必要な受信基準レベルが同心円状に表示されるので、このレベルを目安にして、アンテナの受信レベルを比較していくことにより、この受信基準レベルより超える方向を選べば、確実に、正常な受信画像を得ることができる。
【００３６】
なお、本発明は、上記実施形態に限られるものではなく、様々な変形が可能である。例えば、受信方向の受信信号強度のレベルの大きさでグラフ表示したが、これに限らず、受信信号の各方向における誤り率を測定し、この誤り率の最小値で正規化して各方向の受信レベル表示を行うことにより、同様のアンテナ方向レベルパターンを作成することも可能である。
【００３７】
また、アンテナ方向レベルパターンを円形状に表示したが、円形状以外で、横方向、あるいは縦方向に１６方向を表示することも可能である。
【図面の簡単な説明】
【００３８】
【図１】ユーザが家庭においてディジタルＴＶ放送信号を受信する状況を示す概念図。
【図２】本発明の一実施形態に係るディジタルＴＶ放送信号受信装置の構成を示す電気的ブロック図。
【図３】アンテナの方向とＴＶ放送信号の受信状態の一例を示す図。
【図４】上記受信装置によるオートスキャン処理を示すフローチャート。
【図５】上記受信装置による全域スキャン処理を示すフローチャート。
【図６】アンテナ方向レベルパターンを示す図。
【符号の説明】
【００３９】
１  ディジタルＴＶ放送信号受信装置
２  多指向性アンテナ（スマートアンテナ）
３  モニタ装置
１１  チューナ（放送信号受信手段）
１２  ＡＴＳＣフロントエンド（ディジタル信号処理手段）
１３  ＮＴＳＣデコーダ
１４  ＭＰＥＧデコーダ（信号出力手段）
１５  オンスクリーンディスプレイ部
１６  制御部（制御信号出力手段、受信方向決定手段、レベル表示手段、全体制御手段）
１７  メモリ（記憶手段）
１８  リモコン
２１  制御ユニット
６２  アンテナ方向レベルパターン
【図１】
2006041750.tif 000003
【図２】
2006041750.tif 000004
【図３】
2006041750.tif 000005
【図４】
2006041750.tif 000006
【図５】
2006041750.tif 000007
【図６】
2006041750.tif 000008